(57)【要約】【課題】  特別図柄表示部と演出表示部とを一つのユニットとして構成し、関連構成部品との適応性や組み込み作業の容易化を図るパチンコ機における表示装置を提供すること。【解決手段】  遊技領域に配設された始動入賞口への遊技球の入賞に基づいて、特別図柄の変動表示を行なう特別図柄表示部２０と、その特別図柄の変動表示に関連付けた演出表示を行なう演出表示部１０とによって構成されたパチンコ機における表示装置において、演出表示部１０が視認可能に収められた筐体１２の前面に、その演出表示部の周りを囲むように形成された窓枠状の表示フレーム１５を着脱可能に設け、その表示フレームの前面側に特別図柄表示部２０を配置した。【選択図】  図１
2006061329.tif 000002
【特許請求の範囲】
【請求項１】
遊技領域に配設された始動入賞口への遊技球の入賞に基づいて、特別図柄の変動表示を行なう特別図柄表示部と、その特別図柄の変動表示に関連付けた演出表示を行なう演出表示部とによって構成されたパチンコ機における表示装置において、
前記演出表示部が視認可能に収められた筐体の前面に、その演出表示部の周りを囲むように形成された窓枠状の表示フレームを着脱可能に設け、その表示フレームの前面側に前記特別図柄表示部を配置したことを特徴とするパチンコ機における表示装置。
【請求項２】
前記表示フレームに横方向又は縦方向の幅の狭い長溝を形成し、前記特別図柄表示部が前方から視認可能に収められたケースを該長溝の適宜位置に固定するように設けたことを特徴とする請求項１に記載のパチンコ機における表示装置。
【請求項３】
前記表示フレームに多数の係合孔を所定間隔を置いて形成し、前記特別図柄表示部が前方から視認可能に収められるケースに弾性変形可能な係合爪を一体に形成し、その係合爪を所望の前記係合孔に嵌め込むことにより当該ケースを前記表示フレームに固定するように設けたことを特徴とする請求項１に記載のパチンコ機における表示装置。
【発明の詳細な説明】
【技術分野】
【０００１】
本発明は、パチンコ機における図柄の変動表示を行なう表示装置に関する。
【背景技術】
【０００２】
一般的なパチンコ機においては、遊技領域に打ち込まれた遊技球の始動入賞口への入賞検出信号によって表示装置の図柄（数字、動物のキャラクター、果物等）を変動表示させ、その表示された図柄が所定の図柄で揃ったときに、遊技者にとって有利な特別遊技、いわゆる「大当たり」状態を発生させる機会を付与するように構成されている。かかるパチンコ機では、遊技球を遊技領域に打ち込んで入賞口に入賞させることを目的とする球落としゲームと、遊技球が始動入賞口に入賞することにより開始される図柄合わせゲームとが一連の遊技として行われている。
【０００３】
従来のパチンコ機における表示装置については、特別図柄表示部と演出表示部を設けて図柄表示を行なうものが主流となっており、例えば、一つの液晶表示器内にて特別図柄変動表示と演出図柄変動表示を行なう形式がある。特開２００４−８１６７５号公報の「パチンコ機」には、始動入賞口への遊技球の入賞に基づく最終決定停止図柄を表示する特別図柄表示領域とは別に、特別図柄表示領域に表示される最終図柄の態様を予告・報知するデモ画面第１領域とデモ画面第２領域の二つの図柄表示領域を設け、それぞれの領域に独立して図柄の演出表示を行なう技術事項が開示されている。
【０００４】
また、ドラムによって演出図柄変動表示を行い、ドラムの周囲に配置された装飾部材に設置されたセグメント表示器によって特別図柄変動表示を行なう形式がある。このドラムを用いる形式では、演出図柄変動表示を行なう表示器と特別図柄変動表示を行なう表示器とを異なる箇所に夫々取付けなければならないため、製造時における作業が煩瑣になり、セグメント表示器のために装飾部材のデザインに制約を受けるという問題があった。
【０００５】
特開２００２−２４８２２２号公報の「遊技機」には、遊技盤前面の非遊技領域に装着される飾り部材内に、遊技関連情報を遊技者に対して表示する表示装置を設置する技術事項が開示されている。この遊技機は、遊技盤前面の非遊技領域を有効に利用することを目的として上記表示装置を特別表示装置と離れた非遊技領域に設置しているが、その表示装置の視認性は必ずしも良くないと思われる。
【特許文献１】特開２００４−８１６７５号公報
【特許文献２】特開２００２−２４８２２２号公報
【発明の開示】
【発明が解決しようとする課題】
【０００６】
本発明の目的は、特別図柄表示部と演出表示部とを一つのユニットとして構成し、関連構成部品との適応性や組み込み作業の容易化を図るパチンコ機における表示装置を提供することにある。
【課題を解決するための手段】
【０００７】
前記目的を達成するために請求項１に記載した発明は、遊技領域に配設された始動入賞口への遊技球の入賞に基づいて、特別図柄の変動表示を行なう特別図柄表示部と、その特別図柄の変動表示に関連付けた演出表示を行なう演出表示部とによって構成されたパチンコ機における表示装置において、前記演出表示部が視認可能に収められた筐体の前面に、その演出表示部の周りを囲むように形成された窓枠状の表示フレームを着脱可能に設け、その表示フレームの前面側に前記特別図柄表示部を配置したことを特徴とする。
【０００８】
同様の目的を達成するために請求項２に記載した発明は、請求項１に記載のパチンコ機における表示装置において、前記表示フレームに横方向又は縦方向の幅の狭い長溝を形成し、前記特別図柄表示部が前方から視認可能に収められたケースを該長溝の適宜位置に固定するように設けたことを特徴とする。
【０００９】
同様の目的を達成するために請求項３に記載した発明は、請求項１に記載のパチンコ機における表示装置において、前記表示フレームに多数の係合孔を所定間隔を置いて形成し、前記特別図柄表示部が前方から視認可能に収められるケースに弾性変形可能な係合爪を一体に形成し、その係合爪を所望の前記係合孔に嵌め込むことにより当該ケースを前記表示フレームに固定するように設けたことを特徴とするものである。
【発明の効果】
【００１０】
（請求項１の発明）
このパチンコ機における表示装置は、特別図柄表示部と演出表示部とを一つのユニットとして構成しているので、製造時における遊技盤への組み込み作業の容易化を図ることができる。加えて、本装置は表示フレームの前面側に特別図柄表示部を配置しているので、一つの液晶表示器内にて特別図柄変動表示と演出図柄変動表示を行なう従来の形式と比べても、視認性を損なうことがない。
【００１１】
（請求項２及び請求項３の発明）
このパチンコ機における表示装置は、特別図柄表示部を表示フレームの適宜位置に固定することができる構造としているので、表示装置の前面に配置される装飾部材のデザインに対する適応性が高い。
【発明を実施するための最良の形態】
【００１２】
以下に、本発明の最良の形態例を図面に基づいて説明する。図１は第１実施例の表示装置の斜視図、図２は装置本体から表示フレームと特別図柄表示部とを分離した状態を示す説明図、図３は第１実施例の表示装置に装飾部材ａを配置した状態を示す正面図、図４は第１実施例の表示装置に他の形態の装飾部材ｄを配置した状態を示す正面図、図５は第２実施例の表示装置の斜視図、図６は装置本体から表示フレームと特別図柄表示部とを分離した状態を示す説明図である。
【００１３】
（実施例１）
図１に示す第１実施例の表示装置１は、遊技球を遊技領域に打ち込んで入賞口に入賞させることを目的とする球落としゲームと、遊技球が始動入賞口に入賞することにより開始される図柄合わせゲームとを一連の遊技として行う一般的なパチンコ機（図示せず）に適用される。この表示装置１は、特別図柄表示部２０及び当該特別図柄表示部２０の変動に関連付けられた変動表示を行なう演出表示部１０とを備えている。
なお、それら特別図柄表示部２０及び演出表示部１０の図柄表示機能の内容に関しては、本発明の要旨ではないことから、詳しい説明を省略する。
【００１４】
１０は液晶パネルが用いられた演出表示部である。この演出表示部１０は、装置本体１１の筐体１２の正面側に形成された開口部１２ａに臨ませて視認可能に収められている。１３は筐体１２の前面の四隅に配設されたメネジ（図示せず）に連通するように形成された凹部である。
【００１５】
１５は筐体１２の前面に着脱可能に設けられた表示フレームである。この表示フレーム１５は、上記演出表示部１０の周りを囲むように四角形の窓枠状に形成され、前記筐体１２の正面の外形寸法とほぼ同じ大きさに設けられている。表示フレーム１５の上枠１５ａには、横方向に幅の狭い長溝１７が形成されている。また、その上枠１５ａを除く左枠１５ｂ、右枠１５ｃ及び下枠１５ｄは、上枠１５ａの厚さよりも一様に厚く形成されている。１８は表示フレーム１５の四隅に形成されたビス用取付穴であり、前記筐体１２のメネジに夫々対応する位置に設けられている。
【００１６】
なお、この実施例では上記長溝１７を上枠１５ａに形成しているが、他の左枠１５ｂ、右枠１５ｃ、下枠１５ｄの何れかに長溝１７を設ける構成とすることもできる。
【００１７】
２１は特別図柄表示部２０を前方から視認可能に収めるケースである。このケース２１には、前面に横長四角形の開口部２２を形成すると共に左右の後側部２１ａにメネジ（図示せず）を設けている。しかして、このケース２１は、長溝１７の裏側から固定板２４を当てがった状態で当該固定板２４の通し穴２５に通したビス２６を締め付けることにより、上枠１５ａの前面側の適宜位置に固定されるように設けられている。
【００１８】
特別図柄表示部２０については、４個の７セグメント表示器２０ａを横一列に配設し、４桁の数字又はアルファベットを表示するように設けられている。特別図柄は、左から３個の７セグメント表示器２０ａを用いて３桁の数字又はアルファベットにより表示されるのが一般的であるが、各々の７セグメント表示器２０ａにより特別図柄変動表示、特別図柄保留球表示、普通図柄変動表示、普通図柄保留球表示等を行なうことも可能である。
【００１９】
かかる構成になる第１実施例の表示装置１をパチンコ機の遊技盤（図示せず）に取付け、表示装置１の前面に装飾部材ａを配置した状態を図３に示す。特別図柄表示部２０は、装飾部材ａの中央上方に形成された切欠部ｂの位置に合わせて上枠１５ａに固定されている。
【００２０】
また、図４に示すように装飾部材ｄの左側上方に切欠部ｅが形成されている形態の場合には、その切欠部ｅの位置に合わせて特別図柄表示部２０を移動させて上枠１５ａに固定させることができる。
【００２１】
（実施例２）
図５に示す第２実施例の表示装置２は、表示フレーム４０の構造以外については前述した第１実施例の表示装置１と同一構造とされている。よって、表示装置２の表示装置１と同一構成部分については、表示装置１の説明に用いた符号と同一符号を付して説明を省略する。
【００２２】
上記表示フレーム４０は、演出表示部１０の周りを囲むように四角形の窓枠状に形成され、筐体１２の正面の外形寸法とほぼ同じ大きさに設けられている。この表示フレーム４０の上枠４０ａと下枠４０ｄには、所定間隔をおいて多数の係合孔４２が形成されている。４３は表示フレーム４０の四隅に形成されたビス用取付穴であり、筐体１２のメネジに夫々対応する位置に設けられている。
【００２３】
４５は特別図柄表示部２０を前方から視認可能に収めるケースである。このケース４５には、前面に横長四角形の開口部４６を形成すると共に左右の側部４５ａに弾性変形可能な一対の係合爪４７を後方に突出するように一体に形成している。しかして、このケース４５は、それら係合爪４７を所望の係合孔４２，４２に嵌め込むことにより、当該ケース４５を前記表示フレーム４０に固定されるように設けられている。
【００２４】
かかる構成になる第２実施例の表示装置２をパチンコ機の遊技盤（図示せず）に取付けた態様については、図３、図４に示す第１実施例の表示装置１の態様に準ずる。
【００２５】
以上に述べた通り、この遊技機における表示装置は、特別図柄表示部と演出表示部とを一つのユニットとして構成しているので、製造時における遊技盤への組み込み作業の容易化を図ることができる。加えて、特別図柄表示部を表示フレームの適宜位置に固定することができる構造としているので、表示装置の前面に配置される装飾部材のデザインに対する適応性が高いという利点がある。
【図面の簡単な説明】
【００２６】
【図１】第１実施例の表示装置の斜視図
【図２】装置本体から表示フレームと特別図柄表示部とを分離した状態を示す説明図
【図３】第１実施例の表示装置に装飾部材ａを配置した状態を示す正面図
【図４】第１実施例の表示装置に他の形態の装飾部材ｄを配置した状態を示す正面図
【図５】第２実施例の表示装置の斜視図
【図６】装置本体から表示フレームと特別図柄表示部とを分離した状態を示す説明図
【符号の説明】
【００２７】
１・・・（第１実施例の）表示装置
１０・・・演出表示部
１１・・・装置本体  １２・・・筐体
１５・・・表示フレーム
１５ａ・・・上枠  １７・・・長溝
２０・・・特別図柄表示部
２１・・・ケース
２・・・（第２実施例の）表示装置
４０・・・表示フレーム
４２・・・係合孔
４５・・・ケース  ４７・・・係合爪
【図１】
2006061329.tif 000003
【図２】
2006061329.tif 000004
【図３】
2006061329.tif 000005
【図４】
2006061329.tif 000006
【図５】
2006061329.tif 000007
【図６】
2006061329.tif 000008